(57)【特許請求の範囲】
【請求項１】
傾斜した屋根面を有する屋根の小屋裏内に形成されるとともに、この屋根の傾斜に対応する傾斜天井を備えた部屋の構造において、
前記傾斜天井と、
前記部屋の一方側から他方側に架設されるとともに、前記傾斜天井の最上部よりも下方に、この傾斜天井の最上部から間隔をあけて配置される梁体と、
上端部が前記梁体の下面に対して着脱可能に取り付けられるとともに、下端部が前記部屋の床に対して着脱可能に取り付けられ、前記部屋を複数の空間に仕切る間仕切り壁と、を備えており、
前記梁体の一側面および他側面は、家電機器を取り付けるための第一取付部とされていることを特徴とする部屋構造。
【請求項２】
請求項１に記載の部屋構造において、
前記部屋の一方に、二つの出入口が横に並んで形成された壁が設けられており、
前記梁体の一端部は、前記二つの出入口の中間に、かつ前記二つの出入口よりも上方に位置していることを特徴とする部屋構造。
【請求項３】
請求項１または２に記載の部屋構造において、
前記傾斜天井の最上部と前記梁体との間の梁上空間に面して、垂直面または前記傾斜天井よりなる傾斜面が形成されており、
前記垂直面または前記傾斜面は、前記間仕切り壁によって仕切られた一方および他方の空間で共通して使用される家電機器を取り付けるための第二取付部とされていることを特徴とする部屋構造。
【請求項４】
請求項１〜３のいずれか一項に記載の部屋構造において、
前記屋根は、前記屋根面の上端部に位置する棟を備えており、
前記梁体は、側面視において前記棟と平行する方向に配置されていることを特徴とする部屋構造。
【請求項５】
請求項１〜３のいずれか一項に記載の部屋構造において、
前記屋根は、前記屋根面の上端部に位置する棟を備えており、
前記梁体は、平面視において前記棟と交差する方向に配置されていることを特徴とする部屋構造。
【請求項６】
請求項１〜５のいずれか一項に記載の部屋構造において、
前記梁体は、この梁体の長さ方向に沿って配置されるとともに、この梁体自体を補強する補強フレームと、
前記補強フレームの上面に固定された第一下地部と、
前記補強フレームの下面に固定された第二下地部と、を備えており、
前記第一下地部の両側面のそれぞれに、前記家電機器が取り付けられており、
前記第二下地部に、前記間仕切り壁の上端部が固定されていることを特徴とする部屋構造。
【請求項７】
請求項３〜６のいずれか一項に記載の部屋構造において、
前記第一取付部には、それぞれ照明器具が取り付けられ、前記第二取付部には、空調機が取り付けられていることを特徴とする部屋構造。
【請求項８】
請求項７に記載の部屋構造において、
前記照明器具は、前記梁体の両側面に、この梁体の長さ方向に沿って取り付けられる配線ダクトレールと、
前記配線ダクトレールに、この配線ダクトレールに沿ってスライド自在に装着される照明器具本体と、を備えていることを特徴とする部屋構造。
【発明の詳細な説明】
【技術分野】
【０００１】
本発明は、傾斜した屋根面を有する屋根の小屋裏内に形成されるとともに、この屋根の傾斜に対応する傾斜天井を備えた部屋の構造に関する。
【背景技術】
【０００２】
従来、隣接配置された部屋どうしを仕切る間仕切り壁を着脱可能とし、子供の成長、独立等に対応して間取りを変更することにより、部屋の有効利用を図ることが可能な技術が知られている（例えば、特許文献１参照）。
つまり、間仕切り壁のない状態では、隣接する部屋同士を一つの大きな部屋にすることができ、間仕切り壁のある状態では、隣接する部屋を別々の部屋に仕切ることができる。
【０００３】
また、従来、例えば切妻屋根や寄棟屋根等を始め、様々な種類の傾斜屋根のように、傾斜した屋根面を有する屋根の小屋裏を利用して、建物の最上階に、屋根の傾斜に対応する傾斜天井を備えた部屋を形成する場合がある（例えば、特許文献２参照）。
【先行技術文献】
【特許文献】
【０００４】
【特許文献１】特開平９−４９３３９号公報
【特許文献２】特開２０００−４５５４７号公報
【発明の概要】
【発明が解決しようとする課題】
【０００５】
ところで、従来のように着脱可能に構成された間仕切り壁によって仕切られる部屋は、子供の成長等に対応して、二部屋に仕切ることを前提としているため、予め、二部屋分の照明器具や空調機等の家電機器が部屋内に設置されることがある。しかし、間仕切り壁によって仕切る前の一部屋の状態の時に、二部屋分の家電機器が設置されていると不自然な印象を与える場合がある。
また、傾斜天井を備えた部屋の場合は、上方に向かうにつれて部屋の空間が次第に狭くなるため、部屋の上部に配置するような家電機器を設置しにくい場合がある。ましてや、二部屋分の家電機器を設置することは非常に難しい場合がある。
このように二部屋分の家電機器を設置できないとなると、着脱可能な間仕切り壁によって間取りを変更することも困難となる。
【０００６】
本発明の課題は、二部屋分の家電機器を、不自然な印象を与えることなく、予め部屋内に設置でき、たとえ傾斜天井を備えた部屋であっても、間取り変更による部屋の有効利用を図ることが可能な部屋構造を提供することを目的とする。
【課題を解決するための手段】
【０００７】
請求項１に記載の発明は、例えば図１〜図７に示すように、傾斜した屋根面２（２２，４２）を有する屋根１（２１，４１）の小屋裏内に形成されるとともに、この屋根１（２１，４１）の傾斜に対応する傾斜天井６（２６，４６）を備えた部屋３（２３，４３）の構造において、
前記傾斜天井６（２６，４６）と、
前記部屋３（２３，４３）の一方側から他方側に架設されるとともに、前記傾斜天井６（２６，４６）の最上部６ａ（２６ａ，４６ａ）よりも下方に、この傾斜天井６（２６，４６）の最上部６ａ（２６ａ，４６ａ）から間隔をあけて配置される梁体９と、
上端部が前記梁体９の下面に対して着脱可能に取り付けられるとともに、下端部が前記部屋３（２３，４３）の床４（２４，４４）に対して着脱可能に取り付けられ、前記部屋３（２３，４３）を複数の空間３ａ（２３ａ，４３ａ），３ｂ（２３ｂ，４３ｂ）に仕切る間仕切り壁１０と、を備えており、
前記梁体９の一側面９ａおよび他側面９ｂは、家電機器（例えば、照明器具１１等）を取り付けるための第一取付部とされていることを特徴とする。
【０００８】
請求項１に記載の発明によれば、前記梁体９は、部屋３（２３，４３）の一方側から他方側に、かつ比較的高い位置に設けられることになる。
さらに、前記梁体９の一側面９ａおよび他側面９ｂは、家電機器（例えば、照明器具１１等）を取り付けるための第一取付部とされているので、部屋３（２３，４３）が前記間仕切り壁１０によって仕切られる前は、前記第一取付部９ａ，９ｂに取り付けられた双方の家電機器は、一つの部屋３（２３，４３）で使用される家電機器として見られることになる。また、部屋３（２３，４３）が前記間仕切り壁１０によって仕切られた後は、前記第一取付部９ａ，９ｂに取り付けられた双方の家電機器は、前記間仕切り壁１０によって仕切られた一方の空間３ａ（２３ａ，４３ａ）側と他方の空間３ｂ（２３ｂ，４３ｂ）側とに配置され、これら双方の空間３ａ（２３ａ，４３ａ），３ｂ（２３ｂ，４３ｂ）それぞれで使用される家電機器として見られることになる。
これによって、前記梁体９の第一取付部９ａ，９ｂに取り付けられた二部屋３ａ（２３ａ，４３ａ），３ｂ（２３ｂ，４３ｂ）分の家電機器を、不自然な印象を与えることなく、予め部屋３内に設置できる。また、前記傾斜天井６（２６，４６）の最上部６ａ（２６ａ，４６ａ）よりも下方に、この傾斜天井６（２６，４６）の最上部６ａ（２６ａ，４６ａ）から間隔をあけて配置された前記梁体９に二部屋３ａ（２３ａ，４３ａ），３ｂ（２３ｂ，４３ｂ）分の家電機器が取り付けられているので、上方に向かうにつれて空間が次第に狭くなる部屋３（２３，４３）であっても、前記間仕切り壁１０による部屋３（２３，４３）の間取り変更を確実に行うことができ、部屋３（２３，４３）の有効利用を図ることが可能となる。
【０００９】
請求項２に記載の発明は、例えば図１〜図７に示すように、請求項１に記載の部屋構造において、
前記部屋３（２３，４３）の一方に、二つの出入口７ｂ（２７ｂ，４７ｂ），７ｃ（２７ｃ，４７ｃ）が横に並んで形成された壁７（２７，４７）が設けられており、
前記梁体９の一端部は、前記二つの出入口７ｂ（２７ｂ，４７ｂ），７ｃ（２７ｃ，４７ｃ）の中間に、かつ前記二つの出入口７ｂ（２７ｂ，４７ｂ），７ｃ（２７ｃ，４７ｃ）よりも上方に位置していることを特徴とする。
【００１０】
請求項２に記載の発明によれば、前記梁体９の一端部は、前記二つの出入口７ｂ（２７ｂ，４７ｂ），７ｃ（２７ｃ，４７ｃ）の中間に、かつ前記二つの出入口７ｂ（２７ｂ，４７ｂ），７ｃ（２７ｃ，４７ｃ）よりも上方に位置しているので、前記梁体９は、前記部屋３（２３，４３）を仕切る位置に対応しつつ、比較的高い位置に設けられることになる。
これによって、前記梁体９の第一取付部９ａ，９ｂに取り付けられた二部屋３ａ（２３ａ，４３ａ），３ｂ（２３ｂ，４３ｂ）分の家電機器を、より不自然な印象を与えることなく、予め部屋３（２３，４３）内に設置できる。また、二つの部屋３ａ（２３ａ，４３ａ），３ｂ（２３ｂ，４３ｂ）の真ん中の比較的高い位置に設けられた前記梁体９に二部屋３ａ（２３ａ，４３ａ），３ｂ（２３ｂ，４３ｂ）分の家電機器が取り付けられることになるので、上方に向かうにつれて空間が次第に狭くなる部屋３であっても、前記間仕切り壁１０による部屋３の間取り変更をより確実に行うことができ、前記部屋３（２３，４３）をより有効に利用できる。
【００１１】
請求項３に記載の発明は、例えば図１，図６，図７に示すように、請求項１または２に記載の部屋構造において、
前記傾斜天井６（２６，４６）の最上部６ａ（２６ａ，４６ａ）と前記梁体９との間の梁上空間９ｃに面して、垂直面（例えば中央壁部７０、垂直面３０等）または前記傾斜天井６（２６，４６）よりなる傾斜面が形成されており、
前記垂直面または前記傾斜面は、前記間仕切り壁１０によって仕切られた一方および他方の空間３ａ（２３ａ，４３ａ），３ｂ（２３ｂ，４３ｂ）で共通して使用される家電機器（例えば、空調機１２等）を取り付けるための第二取付部とされていることを特徴とする。
【００１２】
請求項３に記載の発明によれば、前記梁上空間９ｃに面する前記垂直面または前記傾斜面は、家電機器を取り付けるための第二取付部とされているので、前記部屋３（２３，４３）が前記間仕切り壁１０によって仕切られる前は、前記第二取付部に取り付けられた家電機器は、一つの部屋３（２３，４３）で使用される家電機器として見られることになる。また、前記部屋３が前記間仕切り壁１０によって仕切られた後は、前記第二取付部に取り付けられた家電機器は、前記間仕切り壁１０によって仕切られた一方の空間３ａ（２３ａ，４３ａ）側と他方の空間３ｂ（２３ｂ，４３ｂ）側の双方の空間で共通して使用される家電機器として見られることになる。
これによって、前記第二取付部に取り付けられた家電機器を、不自然な印象を与えることなく、予め部屋３（２３，４３）内に設置できる。また、前記梁上空間９ｃに面する前記垂直面または前記傾斜面に家電機器が取り付けられているので、上方に向かうにつれて空間が次第に狭くなる部屋３（２３，４３）であっても、前記間仕切り壁１０による前記部屋３（２３，４３）の間取り変更を確実に行うことができ、前記部屋３（２３，４３）の有効利用を図ることが可能となる。
【００１３】
請求項４に記載の発明は、例えば図１〜図４に示すように、請求項１〜３のいずれか一項に記載の部屋構造において、
前記屋根１は、前記屋根面２の上端部に位置する棟を備えており、
前記梁体９は、側面視において前記棟と平行する方向に配置されていることを特徴とする。
【００１４】
請求項４に記載の発明によれば、前記梁体９は、側面視において前記棟と平行する方向に配置されているので、前記梁体９の下面に取り付けられる前記間仕切り壁１０によって、前記部屋３を、前記棟の一側面側と他側面側とに仕切ることができる。すなわち、上方に向かうにつれて空間が次第に狭くなり、かつ前記梁体９が、側面視において前記棟と平行する方向に配置された部屋３であっても、前記間仕切り壁１０による部屋３の間取り変更を確実に行うことができる。
【００１５】
請求項５に記載の発明は、例えば図６，図７に示すように、請求項１〜３のいずれか一項に記載の部屋構造において、
前記屋根２１，４１は、前記屋根面２２，４２の上端部に位置する棟２１ａ，４１ａを備えており、
前記梁体９は、平面視において前記棟２１ａ，４１ａと交差する方向に配置されていることを特徴とする。
【００１６】
請求項５に記載の発明によれば、前記梁体９は、平面視において前記棟２１ａ，４１ａと交差する方向に配置されているので、前記梁体９の下面に取り付けられる前記間仕切り壁１０によって、前記部屋２３，４３を、前記棟２１ａ，４１ａの一端側と他端側とに仕切ることができる。すなわち、上方に向かうにつれて空間が次第に狭くなり、かつ前記梁体９が、平面視において前記棟２１ａ，４１ａと交差する方向に配置された部屋２３，４３であっても、前記間仕切り壁１０による部屋２３，４３の間取り変更を確実に行うことができる。
【００１７】
請求項６に記載の発明は、例えば図１，図３〜図７に示すように、請求項１〜５のいずれか一項に記載の部屋構造において、
前記梁体９は、この梁体９の長さ方向に沿って配置されるとともに、この梁体９自体を補強する補強フレーム９０と、
前記補強フレーム９０の上面に固定された第一下地部９１と、
前記補強フレーム９０の下面に固定された第二下地部９２と、を備えており、
前記第一下地部９１の両側面のそれぞれに、前記家電機器（例えば、照明器具１１等）が取り付けられており、
前記第二下地部９２に、前記間仕切り壁１０の上端部が固定されていることを特徴とする。
【００１８】
請求項６に記載の発明によれば、前記梁体９自体を補強する前記補強フレーム９０の上面に、前記家電機器（例えば、照明器具１１等）が取り付けられる第一下地部９１が固定されているので、この第一下地部９１の取付状態が強固なものとなり、さらに、この第一下地部９１に取り付けられる前記家電機器の取付状態を安定的なものにすることができる。
また、前記梁体９自体を補強する前記補強フレーム９０の下面に、前記間仕切り壁１０の上端部が固定される第二下地部９２が固定されているので、この第二下地部９２の取付状態が強固なものとなり、さらに、この第二下地部９２に固定される前記間仕切り壁１０の設置状態を安定的なものにすることができる。
【００１９】
請求項７に記載の発明は、例えば図１，図３に示すように、請求項３〜６のいずれか一項に記載の部屋構造において、
前記第一取付部９ａ，９ｂには、それぞれ照明器具１１，１１が取り付けられ、前記第二取付部（前記垂直面または前記傾斜面）には、空調機１２が取り付けられていることを特徴とする。
【００２０】
請求項７に記載の発明によれば、前記第一取付部９ａ，９ｂには、それぞれ照明器具１１，１１が取り付けられ、前記第二取付部には、空調機１２が取り付けられているので、部屋３（２３，４３）が前記間仕切り壁１０によって仕切られる前は、前記照明器具１１，１１および空調機１２は、一つの部屋３（２３，４３）で使用される家電機器として見られることになる。また、前記部屋３（２３，４３）が前記間仕切り壁１０によって仕切られた後は、前記照明器具１１，１１および空調機１２は、前記間仕切り壁１０によって仕切られた一方の空間３ａ（２３ａ，４３ａ）側と他方の空間３ｂ（２３ｂ，４３ｂ）側で別個に、または共通して使用される家電機器として見られることになる。
これによって、前記照明器具１１，１１および空調機１２を、不自然な印象を与えることなく、予め部屋３（２３，４３）内に設置できる。また、前記梁体９から上方に、前記照明器具１１，１１および前記空調機１２が取り付けられているので、上方に向かうにつれて空間が次第に狭くなる部屋３（２３，４３）であっても、前記間仕切り壁１０による部屋３（２３，４３）の間取り変更を確実に行うことができ、部屋３（２３，４３）の有効利用を図ることが可能となる。
【００２１】
請求項８に記載の発明は、例えば図１，図５〜図７に示すように、請求項７に記載の部屋構造において、
前記照明器具１１は、前記梁体９の両側面９ａ，９ｂに、この梁体９の長さ方向に沿って取り付けられる配線ダクトレール１１ａと、
前記配線ダクトレール１１ａに、この配線ダクトレール１１ａに沿ってスライド自在に装着される照明器具本体１１ｂと、を備えていることを特徴とする。
【００２２】
請求項８に記載の発明によれば、前記照明器具本体１１ｂを、前記配線ダクトレール１１ａに沿ってスライドさせることができるので、前記部屋３（２３，４３）を一つの部屋として使用する場合でも、前記部屋３（２３，４３）を前記間仕切り壁１０で仕切った後でも、前記照明器具本体１１ｂを、前記梁体９の両側面９ａ，９ｂの長さ方向の任意の位置に配置することができ、使い勝手が良い。
【発明の効果】
【００２３】
本発明によれば、二部屋分の家電機器を、不自然な印象を与えることなく、予め部屋内に設置できる。また、上方に向かうにつれて空間が次第に狭くなる部屋であっても、間仕切り壁による部屋の間取り変更を確実に行うことができ、部屋の有効利用を図ることが可能となる。
【図面の簡単な説明】
【００２４】
【図１】本発明に係る部屋構造の内観を示す正面図である。
【図２】本発明に係る部屋構造を示す平面図である。
【図３】本発明に係る部屋構造の内観を示す側断面図である。
【図４】本発明に係る部屋構造の内観を示し、図３とは異なる部分の断面を示す側断面図である。
【図５】梁体の断面図である。
【図６】本発明に係る部屋構造の他の一例を示し、（ａ）は平面図であり、（ｂ）はＡ−Ａ断面図である。
【図７】本発明に係る部屋構造を他の一例を示す側断面図である。
【発明を実施するための形態】
【００２５】
以下、図面を参照して本発明の実施の形態について説明する。
【００２６】
＜第１の実施の形態＞
本実施の形態の部屋３の構造は、図１〜図５に示すように、傾斜した屋根面２を有する屋根１の小屋裏内に形成されるものであり、前記屋根１の傾斜に対応する傾斜天井６と、前記部屋３の一方側から他方側にわたって架設されるとともに、前記傾斜天井６の最上部６ａよりも下方に、この傾斜天井６の最上部６ａから間隔をあけて配置される梁体９と、上端部が前記梁体９の下面に対して着脱可能に取り付けられるとともに、下端部が前記部屋３の床４に対して着脱可能に取り付けられ、前記部屋３を複数の空間３ａ，３ｂに仕切る間仕切り壁１０と、を備える。
そして、前記梁体９の一側面９ａおよび他側面９ｂは、家電機器を取り付けるための第一取付部とされている。
【００２７】
前記屋根１は、図示はしないが、前記屋根面２の上端部に位置する棟を備えている。本実施の形態の屋根１は、棟の両側に傾斜する二つの屋根面２，２を備える切妻屋根とされており、屋根面２，２のうちの一方には太陽電池モジュール２ａが設置されている。
なお、図２中の双方向矢印は、前記屋根１の棟の方向を示しているものとする。また、前記梁体９は、側面視において前記棟と平行する方向に配置されている。すなわち、前記梁体９は、前記棟の直下に、この棟と同じ方向になるように設けられている。
【００２８】
そして、この屋根１の小屋裏内には、図１に示すように、前記屋根面２，２の傾斜に対応する一対の傾斜天井６，６を備えた部屋３が形成されている。
この部屋３は、床４と、この床４の両側に位置する側壁５，５と、これら側壁５，５の上端部から部屋３の最も高い位置まで設けられ、屋根面２，２の傾斜に対応する角度に設定された傾斜天井６，６とによって、棟方向の断面が、いわゆる略家型五角形（または、ホームベース型五角形）となるように形成されている。つまり、この部屋３は、上方に向かうにつれて空間が次第に狭くなるように形成されている。
【００２９】
また、この部屋３は、前記傾斜天井６，６と、一対の壁７，８と、二つの出入口７ｂ，７ｃと、梁体９と、間仕切り壁１０と、を備える。
そして、前記梁体９の一側面９ａおよび他側面９ｂは、上述のように、家電機器を取り付けるための第一取付部とされている。
【００３０】
また、図１〜図４に示すように、前記傾斜天井６の最上部６ａと前記梁体９との間は梁上空間９ｃとされている。この梁上空間９ｃは、前記梁体９の上面の高さ位置から前記傾斜天井６の最上部６ａまでの範囲に広がる前記部屋３の上部空間を指している。なお、この梁上空間９ｃは、前記梁体９の直上の空間のみを指すものではなく、例えば前記部屋３の上部に、前記梁体９の上面の高さ位置よりも上方に位置するようにしてロフトが設けられる場合においては、このロフト空間も、前記梁上空間９ｃに含まれるものとする。
【００３１】
そして、前記梁上空間９ｃに面して、垂直面または前記傾斜天井６よりなる傾斜面が形成されており、前記垂直面または前記傾斜面は、前記間仕切り壁１０によって仕切られた一方および他方の空間３ａ，３ｂで共通して使用される家電機器を取り付けるための第二取付部とされている。
本実施の形態においては、前記一対の壁７，８のうち、前記傾斜天井６，６の最上部６ａと前記梁体９との間に位置する部位が、前記間仕切り壁１０によって仕切られる一方および他方の空間３ａ，３ｂで共通して使用される家電機器を取り付けるための第二取付部とされている。
【００３２】
前記傾斜天井６，６は、上述のように側壁５，５の上端部から部屋３の最も高い位置（すなわち、最上部６ａ）まで設けられており、これら傾斜天井６，６の最上部６ａは、断面が、これら傾斜天井６，６同士が交わることによって略三角形状に形成されている。
ただし、この最上部６ａの断面は、これに限られるものではなく、前記傾斜天井６，６と水平に設けられた天井とが交わることによって略台形状に形成されたものであってもよく、適宜変更可能である。
【００３３】
また、前記傾斜天井６，６の途中には、突条部６ｂ，６ｂが形成されている。これら突条部６ｂ，６ｂは、棟方向に長尺に形成されるとともに前記部屋３を構成する梁（図示せず）に対応して表れたものである。
【００３４】
前記傾斜天井６，６のうちの一方には、前記屋根１の屋根面２の外面側に通じる天窓６ｃが形成されている。
なお、本実施の形態においては、この天窓６ｃは、前記傾斜天井６，６の一方に形成されるとしたが、両方の傾斜天井６，６に形成されても良いものとする。
【００３５】
前記一対の壁７，８は、図２に示すように、部屋３の棟方向の両端部に、互いに対向するようにして配置されている。
また、これら一対の壁７，８は、前記傾斜天井６，６の棟方向の両端部側に設けられるとともに、前記傾斜天井６，６の傾斜に対応する斜辺７ａ，８ａを有する。すなわち、これら一対の壁７，８は、断面が略家型五角形に形成された部屋３の断面形状に対応して、正面視において略家型五角形となるように形成されている。
また、前記二つの出入口７ｂ，７ｃは、前記一対の壁７，８のうち一方の壁７の幅方向中央に並設されている。これら二つの出入口７ｂ，７ｃのそれぞれにはドアが取り付けられている。
また、前記一対の壁７，８のうち他方の壁８には、片開きの建具が二つ取り付けられた窓８ｂが設けられており、図２，図３に示すように、前記二つの出入口７ｂ，７ｃに対向するようにして配置されている。
【００３６】
ここで、前記一方の壁７について、より詳細に説明する。
すなわち、この一方の壁７は、図１〜図４に示すように、中央壁部７０と、凸壁部７１，７１と、側壁部７２，７２とを備える。
前記中央壁部７０は、前記一方の壁７の幅方向中央に位置し、前記二つの出入口７ｂ，７ｃを除く壁を指している。
すなわち、前記二つの出入口７ｂ，７ｃよりも上方に位置する部分は、正面視において家型五角形に形成されている。また、前記二つの出入口７ｂ，７ｃの間に位置する壁である中間部７０ａは、前記二つの出入口７ｂ，７ｃの高さ方向に沿って縦長に形成されている。さらに、この中間部７０ａは、前記一方の壁７自体の中央にも位置している。しかも、前記一方の壁７は、この中間部７０ａを境にして、略左右対称に形成されており、これに伴って、前記間仕切り壁１０によって仕切られる部屋３自体も、前記中間部７０ａおよび間仕切り壁１０を境にして左右対称に形成される。
【００３７】
前記凸壁部７１，７１は、前記中央壁部７０および前記二つの出入口７ｂ，７ｃの両側に、かつ前記突条部６ｂ，６ｂの下方に位置し、前記中央壁部７０よりも部屋３の中央側に突出する部分を指している。また、これら凸壁部７１，７１は、前記突条部６ｂ，６ｂと一体的に形成されている。
【００３８】
前記側壁部７２，７２は、前記一方の壁７の幅方向両側に位置する部分を指している。これら側壁部７２，７２は、前記中央壁部７０や前記二つの出入口７ｂ，７ｃよりも奥まった位置（部屋３の中央から遠い位置）に配置されており、これによって、部屋３の内部には凹部３ｃ，３ｃが形成されることになる。
前記凹部３ｃ，３ｃは、前記中央壁部７０と前記両側壁部７２，７２との間に位置する前記凸壁部７１，７１によって、前記二つの出入口７ｂ，７ｃ側から隔絶されたように配置形成されている。
【００３９】
なお、前記他方の壁８は、図１〜図４に示すように、前記一方の壁７のように凹凸の多い形状とはなっておらず、前記窓８ｂを除いて略平面に形成されている。
また、この他方の壁８は、前記一方の壁７の中央壁部７０と対向する部分に配置された中央壁部８０を備えているものとする。なお、この中央壁部８０は、あくまで前記他方の壁８のうち、前記一方の壁７の中央壁部７０と対向する部分を指すものであり、前記凸壁部７１，７１や前記側壁部７２，７２と対向する部分を指すものではない。すなわち、この中央壁部８０は、前記他方の壁８の幅方向中央に位置する部分である。
【００４０】
前記梁体９は、図１，図３，図４に示すように、前記一対の壁７，８の間に架設されており、一端部が、前記二つの出入口７ｂ，７ｃの中間に、かつ前記二つの出入口７ｂ，７ｃよりも上方に位置している。
より詳細には、この梁体９は、前記一方の壁７の中央壁部７０のうち前記二つの出入口７ｂ，７ｃよりも上方に位置する部分と、前記他方の壁８の中央壁部８０との間に、水平に架設されている。
さらに、この梁体９は、前記傾斜天井６，６の最上部６ａよりも下方に、この傾斜天井６，６の最上部６ａから間隔をあけて配置され、前記部屋３内に露出している。
【００４１】
前記間仕切り壁１０は、図１に示すように、棟方向に沿って配置され、前記部屋３の床４と前記梁体９との間に着脱可能に設けられるものである。
そして、この間仕切り壁１０を設置することによって前記部屋３を、この間仕切り壁１０の一側面側の一方の空間３ａと、他側面側の他方の空間３ｂとに仕切ることができる。
これら一方の空間３ａおよび他方の空間３ｂのそれぞれは、前記出入口７ｂ，７ｃから出入りできる部屋として利用することができる。
また、前記窓８ｂは、上述のように片開きの建具が二つ取り付けられたものになっており、一方の建具は、前記一方の空間３ａから利用可能であり、他方の建具は、前記他方の空間３ｂから利用可能となっている。したがって、前記間仕切り壁１０は、前記窓８ｂの二つの建具の中間に位置し、これら二つの建具の開閉を阻害しないように適当な厚みとなるように設定されている。したがって、この間仕切り壁１０は、前記一方の壁７の中央壁部７０の中間部７０ａから、前記他方の壁８の中央壁部８０のうち、窓８ｂの二つの建具の中間にかけて設けられている。
【００４２】
一方、前記梁体９の一側面９ａおよび他側面９ｂは、上述のように、前記家電機器が取り付けられる前記第一取付部とされている。
ここで、前記梁体９について、より詳細に説明する。
前記梁体９は、図１，図３〜図５に示すように、補強フレーム９０と、第一下地部９１と、第二下地部９２と、笠木９３と、石膏ボード９４，９５と、を備える。なお、これら各部材同士の固定方法は、例えばビス止めや接着剤による接着を始め、様々な方法を利用しても良いものとする。
【００４３】
前記補強フレーム９０は、前記梁体９の長さ方向に沿って配置されるとともに、この梁体９自体を補強するものであり、チャンネル材９０ａと、固定プレート９０ｂ，９０ｂと、複数の角材９０ｃ…と、板材９０ｄと、を有する。
前記チャンネル材９０ａは、金属製であり、前記一方の壁７から他方の壁８までの長さに設定されるとともに、開放された部分を下方に向けて配置されている。
また、前記固定プレート９０ｂ，９０ｂは、金属製であり、前記チャンネル材９０ａの長さ方向両端部に、例えば溶接等により強固に固定されている。そして、これら固定プレート９０ｂ，９０ｂは、前記一方の壁７および他方の壁８に面で当接し、面の複数の隅部がビス等によって取り付けられている。
また、前記複数の角材９０ｃ…は、前記チャンネル材９０ａの開放部分から内部に挿入されるとともに、チャンネル材９０ａの天板に該当する部分の下面に固定されている。また、これら複数の角材９０ｃ…は、図４に示すように、前記チャンネル材９０ａの長さ方向に沿って互いに間隔をあけて配置されている。さらに、これら複数の角材９０ｃ…の下面は、前記チャンネル材９０ａの下端部よりも若干下方に位置している。
また、前記板材９０ｄは、前記一方の壁７から他方の壁８までの長さに設定されるとともに、前記チャンネル材９０ａの天板に該当する部分の上面に固定されている。また、この板材９０ｄの幅寸法は、図５に示すように、前記チャンネル材９０ａの幅寸法よりも長くなるように設定されている。
【００４４】
前記第一下地部９１は、上下に重なり合う二枚の板材９１ａ，９１ａからなる。また、この第一下地部９１は、前記固定プレート９０ｂ，９０ｂを考慮した分、前記一方の壁７から他方の壁８までの長さよりも若干短い長さに設定されるとともに、前記補強フレーム９０の上面に固定されている。すなわち、前記補強フレーム９０の板材９０ｄに対して固定されている。
また、この第一下地部９１の幅寸法は、前記間仕切り壁１０の厚みに対して、後述する配線ダクトレール１１ａ，１１ａの埋め込み深さが確保できるように設定されている。すなわち、図５において、前記第一下地部９１の幅と、この第一下地部９１の両側面に取り付けられる配線ダクトレール１１ａ，１１ａの幅とを足し合わせた長さは、前記間仕切り壁１０の厚みと略等しくなるように設定されている。
【００４５】
前記第二下地部９２は、上下に重なり合う二枚の板材９２ａ，９２ａからなる。また、この第二下地部９２は、前記一方の壁７から他方の壁８までの長さに設定されるとともに、前記補強フレーム９０の下面に固定されている。すなわち、前記補強フレーム９０の複数の角材９０ｃ…に対して固定されている。
また、この第二下地部９２の幅寸法は、図５に示すように、前記補強フレーム９０の板材９０ｄの幅寸法と略等しくなるように設定されている。
【００４６】
前記笠木９３は、前記梁体９の上部を化粧するものであり、前記一方の壁７から他方の壁８までの長さに設定されるとともに、前記第一下地部９１の上面に固定されている。
また、この笠木９３は、前記第一下地部９１の上面に固定された下地材９３ａを介して前記第一下地部９１の上面に固定されている。
【００４７】
前記石膏ボード９４は、前記一方の壁７から他方の壁８までの長さに設定されるとともに、前記梁体９の両側面９ａ，９ｂ側に位置し、前記補強フレーム９０の板材９０ｄの側面と、前記第二下地部９２の板材９２ａ，９２ａの側面にわたって取り付けられている。
また、前記石膏ボード９５は、前記一方の壁７から他方の壁８までの長さに設定されるとともに、前記梁体９の下面側に位置し、前記第二下地部９２の下面に固定されている。
さらに、これら石膏ボード９４，９４，９５の表面には、例えばシート状の化粧材（図示せず）が取り付けられている。
【００４８】
そして、本実施の形態においては、前記梁体９のうち、前記第一下地部９１の二枚の板材９１ａ，９１ａの両側面は側方に向かって露出し、この第一下地部９１以外は、前記笠木９３および石膏ボード９４，９５によって被覆された状態となっている。
このため、前記家電機器は、この家電機器を取り付けるための第一取付部である前記一側面９ａおよび他側面９ｂのうち、特に、露出する前記第一下地部９１の二枚の板材９１ａ，９１ａの両側面に対して取り付けられる。
そして、以上のように前記梁体９は、補強フレーム９０と、第一下地部９１と、第二下地部９２と、笠木９３と、石膏ボード９４，９５と、を備え、前記梁体９自体を補強する前記補強フレーム９０の上面に、前記家電機器が取り付けられる第一下地部９１が固定されているので、この第一下地部９１の取付状態が強固なものとなり、さらに、この第一下地部９１に取り付けられる前記家電機器の取付状態を安定的なものにすることができる。
【００４９】
また、前記第二下地部９２に対しては、図示はしないが、前記石膏ボード９５を介して前記間仕切り壁１０の上端部が固定される。
そして、以上のように前記梁体９自体を補強する前記補強フレーム９０の下面に、前記間仕切り壁１０の上端部が固定される第二下地部９２が固定されているので、この第二下地部９２の取付状態が強固なものとなり、さらに、この第二下地部９２に固定される前記間仕切り壁１０の設置状態を安定的なものにすることができる。
【００５０】
さらに、前記一対の壁７，８のうち、前記傾斜天井６，６の最上部６ａと前記梁体９との間に位置する部位は、前記梁上空間９ｃに面する垂直面となっており、上述のように、前記間仕切り壁１０によって仕切られる一方および他方の空間３ａ，３ｂで共通して使用される家電機器を取り付けるための第二取付部とされている。
前記一対の壁７のうち、前記傾斜天井６，６の最上部６ａと前記梁体９との間に位置する部位は、図１に示すように、前記中央壁部７０である。
特に、この中央壁部７０のうち、前記中間部７０ａよりも上方に位置し、正面視において家型五角形に形成された部分を指しており、この家型五角形の部分の、前記梁体９の上方付近が、前記第二取付部とされている。
【００５１】
なお、前記他方の壁８の中央壁部８０も、前記中央壁部７０に正対しており、前記梁体９も水平に設けられていることから、この他方の壁８の中央壁部８０のうち、前記梁体９の上方付近が、前記第二取付部とされている。
すなわち、前記家電機器が取り付けられる前記第二取付部は、前記一対の壁７，８の双方の中央壁部７０，８０のうち、前記梁体９の上方付近を指している。
なお、これら第二取付部７０，８０の双方には、それぞれに家電機器を取り付けても良く、どちらか一方に取り付けても良いものとする。本実施の形態においては、前記家電機器は、前記中央壁部７０側の第二取付部に取り付けられているものとする。
【００５２】
続いて、前記第一取付部および前記第二取付部に取り付けられる家電機器について説明する。
前記第一取付部である前記梁体９の一側面９ａおよび他側面９ｂには、前記家電機器として、それぞれ照明器具１１が取り付けられている。
前記照明器具１１は、図１，図５に示すように、配線ダクトレール１１ａと、照明器具本体１１ｂと、を備える。なお、この照明器具１１は、図示しない電源から電力供給されている。
【００５３】
前記配線ダクトレール１１ａは、前記梁体９の両側面９ａ，９ｂに、この梁体９の長さ方向に沿って取り付けられている。より詳細には、この配線ダクトレール１１ａは、前記梁体９の第一下地部９１の二枚の板材９１ａ，９１ａの両側面のそれぞれに取り付けられている。
【００５４】
前記照明器具本体１１ｂは、前記配線ダクトレール１１ａに、この配線ダクトレール１１ａに沿ってスライド自在に装着されている。
また、この照明器具本体１１ｂは、首振り自在に構成されており、前記部屋３内の様々な場所に向けることができる。
【００５５】
このように前記照明器具本体１１ｂを、前記配線ダクトレール１１ａに沿ってスライドさせることができるので、前記部屋３を一つの部屋として使用する場合でも、前記部屋３を前記間仕切り壁１０で仕切った後でも、前記照明器具本体１１ｂを、前記梁体９の両側面９ａ，９ｂの長さ方向の任意の位置に配置することができ、使い勝手が良い。
【００５６】
また、前記第二取付部である前記一方の壁７の中央壁部７０には、前記家電機器として空調機１２が取り付けられている。
なお、この空調機１２は、図示しない電源から電力供給されている。また、図示しない各種ホースは、前記一方の壁７に内蔵され、適宜屋外へと延長されるようにして設けられているものとする。
そして、この空調機１２は、前記第二取付部である中央壁部７０の幅方向中央に配置されており、吹き出された空気が、前記梁体９の左右に分かれるようにして流通するように設定されている。
【００５７】
本実施の形態によれば、前記梁体９は、前記部屋３の一方側から他方側に、かつ比較的高い位置に設けられることになる。
さらに、前記梁体９の一側面９ａおよび他側面９ｂは、前記照明器具１１，１１等の家電機器を取り付けるための第一取付部とされているので、前記部屋３が前記間仕切り壁１０によって仕切られる前は、前記第一取付部９ａ，９ｂに取り付けられた双方の家電機器は、一つの部屋３で使用される家電機器として見られることになる。また、前記部屋３が前記間仕切り壁１０によって仕切られた後は、前記第一取付部９ａ，９ｂに取り付けられた双方の家電機器は、前記間仕切り壁１０によって仕切られた一方の空間３ａ側と他方の空間３ｂ側とに配置され、これら双方の空間３ａ，３ｂそれぞれで使用される家電機器として見られることになる。
また、前記梁体９の一端部は、前記二つの出入口７ｂ，７ｃの中間に、かつ前記二つの出入口７ｂ，７ｃよりも上方に位置しているので、前記梁体９は、前記部屋３を仕切る位置に対応しつつ、比較的高い位置に設けられることになる。
さらに、前記梁上空間９ｃに面する前記壁７よりなる前記垂直面は、前記空調機１２等の家電機器を取り付けるための第二取付部とされているので、前記部屋３が前記間仕切り壁１０によって仕切られる前は、前記第二取付部に取り付けられた家電機器は、一つの部屋３で使用される家電機器として見られることになる。また、前記部屋３が前記間仕切り壁１０によって仕切られた後は、前記第二取付部に取り付けられた家電機器は、前記間仕切り壁１０によって仕切られた一方の空間３ａ側と他方の空間３ｂ側の双方の空間で共通して使用される家電機器として見られることになる。
これによって、前記梁体９の第一取付部９ａ，９ｂに取り付けられた二部屋３ａ，３ｂ分の家電機器を、不自然な印象を与えることなく、予め前記部屋３内に設置できる。また、前記傾斜天井６の最上部６ａよりも下方に、この傾斜天井６の最上部６ａから間隔をあけて配置された前記梁体９に二部屋３ａ，３ｂ分の家電機器が取り付けられているので、上方に向かうにつれて空間が次第に狭くなる部屋３であっても、前記間仕切り壁１０による前記部屋３の間取り変更を確実に行うことができ、前記部屋３の有効利用を図ることが可能となる。
【００５８】
なお、前記梁体９は、側面視において前記棟と平行する方向に配置されているので、前記梁体９の下面に取り付けられる前記間仕切り壁１０によって、前記部屋３を、前記棟の一側面側と他側面側とに仕切ることができる。すなわち、上方に向かうにつれて空間が次第に狭くなり、かつ前記梁体９が、側面視において前記棟と平行する方向に配置された部屋３であっても、前記間仕切り壁１０による部屋３の間取り変更を確実に行うことができる。
【００５９】
＜第２の実施の形態＞
次に、図面を参照して本発明の第２の実施の形態について説明する。なお、説明の便宜上、上述した第１の実施の形態とは異なる構成部分のみについて説明する。
【００６０】
本実施の形態の部屋２３の構造は、図６（ａ），（ｂ）に示すように、傾斜した屋根面２２を有する屋根２１の小屋裏内に形成されるものであり、前記屋根２１の傾斜に対応する傾斜天井２６と、前記部屋２３の一方側から他方側に架設されるとともに、前記傾斜天井２６の最上部２６ａよりも下方に、この傾斜天井２６の最上部２６ａから間隔をあけて配置される梁体９と、上端部が前記梁体９の下面に対して着脱可能に取り付けられるとともに、下端部が前記部屋２３の床２４に対して着脱可能に取り付けられ、前記部屋２３を複数の空間２３ａ，２３ｂに仕切る間仕切り壁１０と、を備える。
また、前記屋根２１は、前記屋根面２２の上端部に位置する棟２１ａを備えており、前記梁体９は、平面視において前記棟２１ａと交差する方向に配置されている。
【００６１】
前記屋根２１は、図６（ｂ）に示すように、前記棟２１ａの両側に傾斜する二つの屋根面２２，２２を備える招き屋根とされている。
なお、図６（ａ）中の双方向矢印は、前記屋根２１の棟２１ａの方向を示しているものとする。
【００６２】
前記部屋２３は、建物の最上階の一画に配置されており、床２４と、この床２４の両側に位置する側壁２５，２５と、前記傾斜天井２６と、一対の壁２７，２８と、二つの出入口２７ｂ，２７ｃと、前記梁体９と、前記間仕切り壁１０と、水平天井部２９と、を備える。
【００６３】
前記側壁２５，２５は、互いに対向し、前記棟２１ａの長さ方向一端側と中央側に離間して設けられている。
また、前記側壁２５，２５は、図６（ｂ）に示すように、下部が正面視において矩形状に形成され、上部が正面視において直角三角形状に形成されている。
【００６４】
前記傾斜天井２６は、前記二つの屋根面２２，２２のうち、前記壁２８側の屋根面２２にのみ対応して設けられている。すなわち、前記部屋２３は、前記一方の屋根面２２の傾斜に対応する一つの傾斜天井２６を備えることになる。また、この傾斜天井２６の最上部２６ａは、前記棟２１ａの近傍に位置する。
【００６５】
前記一対の壁２７，２８は、前記側壁２５，２５のそれぞれに直交するようにして配置されており、これら側壁２５，２５と一対の壁２７，２８とによって前記部屋２３の周囲を取り囲むことができる。
前記二つの出入口２７ｂ，２７ｃは、前記壁２７の幅方向中央に横に並んで形成されており、それぞれにドアが取り付けられている。
また、前記壁２８には、建具が取り付けられた窓２８ｂ，２８ｂが、前記二つの出入口２７ｂ，２７ｃに対向するようにして設けられている。
【００６６】
前記水平天井部２９は、前記傾斜天井２６が設けられなかった側の屋根面２２の下方に位置し、前記壁２７の上端部から水平に設けられている。
この水平天井部２９は、前記壁２７の上端部から前記部屋２３の中央付近まで設けられている。また、この水平天井部２９の前記部屋２３中央側端部と、前記傾斜天井２６の最上部２６ａとの間には、前記梁体９の上面の高さ位置から前記傾斜天井２６の最上部２６ａまでの範囲に広がる梁上空間９ｃに面する垂直面３０が設けられている。
なお、前記傾斜天井２６が設けられなかった側の屋根面２２の直下はデッドスペースとされており、図６（ｂ）に示すように、前記水平天井部２９と前記垂直面３０とによって囲まれた状態となっている。
【００６７】
前記梁体９は、前記壁２８上端部の中央壁部８０側から前記垂直面３０側に架設されている。なお、前記梁体９は、このように前記壁２８上端部の中央壁部８０側から前記垂直面３０側に架設されているため、前記一対の壁２７，２８間の長さよりも短く設定されている。
前記梁体９は、その下面が、前記水平天井部２９の表面と面一になるようにして前記壁２８と前記垂直面３０との間に架設されている。
前記梁体９の上面の高さ位置から前記傾斜天井２６の最上部２６ａまでの範囲に広がる前記部屋２３の上部空間は、前記梁上空間９ｃであり、本実施の形態においては吹抜け状に形成されている。
そして、前記梁体９の一側面９ａおよび他側面９ｂは、家電機器を取り付けるための第一取付部とされている。また、前記梁上空間９ｃに面する前記垂直面３０または前記傾斜天井２６よりなる傾斜面は、家電機器を取り付けるための第二取付部とされている。
【００６８】
前記間仕切り壁１０は、前記一方の壁２７の中央壁部７０の中間部から前記他方の壁２８の中央壁部８０の中間部にかけて設けられている。また、上端部が前記梁体９の下面に対して着脱可能に取り付けられるとともに、下端部が前記部屋２３の床２４に対して着脱可能に取り付けられている。
さらに、前記間仕切り壁１０の上端部は、前記梁体９の長さが、上述のように前記一対の壁２７，２８間の長さよりも短いため、前記水平天井部２９に対しても着脱可能に取り付けられているものとする。
そして、前記部屋２３は、この間仕切り壁１０によって、一方の空間２３ａと他方の空間２３ｂとに仕切られる。
【００６９】
なお、本実施の形態の第一取付部および第二取付部に取り付けられる家電機器は、第１の実施の形態と同じく、照明器具１１および空調機１２とされている。
ただし、取り付けられる家電機器はこれに限られるものではなく、適宜変更可能であることは言うまでもない。
さらに、本実施の形態においては前記垂直面３０を第二取付部としたが、前記傾斜天井２６よりなる傾斜面を第二取付部としてもよい。このように第二取付部が傾斜している場合には、前記空調機１２としてエアコン室内機を採用することは難しいため、例えば扇風機等その他の空調機を取り付けるようにしてもよいし、空調機以外の家電機器を取り付けるようにしてもよい。
【００７０】
本実施の形態によれば、第１の実施の形態と同じく、前記梁体９の第一取付部９ａ，９ｂに取り付けられた二部屋２３ａ，２３ｂ分の家電機器を、不自然な印象を与えることなく、予め前記部屋２３内に設置できる。また、前記傾斜天井２６の最上部２６ａよりも下方に、この傾斜天井２６の最上部２６ａから間隔をあけて配置された前記梁体９に二部屋２３ａ，２３ｂ分の家電機器が取り付けられているので、上方に向かうにつれて空間が次第に狭くなる部屋２３であっても、前記間仕切り壁１０による前記部屋２３の間取り変更を確実に行うことができ、前記部屋２３の有効利用を図ることが可能となる。
また、前記梁体９は、平面視において前記棟２１ａと交差する方向に配置されているので、前記梁体９の下面に取り付けられる前記間仕切り壁１０によって、前記部屋２３を、前記棟２１ａの一端側と他端側とに仕切ることができる。すなわち、上方に向かうにつれて空間が次第に狭くなり、かつ前記梁体９が、平面視において前記棟２１ａと交差する方向に配置された部屋２３であっても、前記間仕切り壁１０による部屋２３の間取り変更を確実に行うことができる。
【００７１】
＜第３の実施の形態＞
次に、図面を参照して本発明の第３の実施の形態について説明する。なお、説明の便宜上、上述した第１および第２の実施の形態とは異なる構成部分のみについて説明する。
【００７２】
本実施の形態の部屋４３の構造は、図７に示すように、傾斜した屋根面４２を有する屋根４１の小屋裏内に形成されるものであり、前記屋根４１の傾斜に対応する傾斜天井４６と、前記部屋４３の一方側から他方側に架設されるとともに、前記傾斜天井４６の最上部４６ａよりも下方に、この傾斜天井４６の最上部４６ａから間隔をあけて配置される梁体９と、上端部が前記梁体９の下面に対して着脱可能に取り付けられるとともに、下端部が前記部屋４３の床４４に対して着脱可能に取り付けられ、前記部屋４３を複数の空間４３ａ，４３ｂに仕切る間仕切り壁（図示せず）と、を備える。
【００７３】
前記屋根４１は、前記屋根面４２の上端部に位置する棟４１ａを備えており、前記梁体９は、平面視において前記棟４１ａと交差（直交）する方向に配置されている。  
また、前記屋根４１は、前記棟４１ａの両側に傾斜する二つの屋根面４２，４２を備えるものである。
【００７４】
前記部屋４３は、建物の最上階の一画に配置されており、前記床４４と、この床４４の両側に位置する側壁４５と、前記傾斜天井４６と、一対の壁４７，４８と、二つの出入口４７ｂ，４７ｃと、ロフト４９と、前記梁体９と、前記間仕切り壁と、を備える。
【００７５】
前記傾斜天井４６は、前記二つの屋根面４２，４２のうち、前記壁４８側の屋根面４２にのみ対応して設けられている。すなわち、前記部屋４３は、前記一方の屋根面４２の傾斜に対応する一つの傾斜天井４６を備えることになる。
また、この傾斜天井４６の最上部４６ａは、前記棟４１ａの近傍に位置する。さらに、前記最上部４６ａ付近には、前記ロフト４９が配置されている。
【００７６】
前記一対の壁４７，４８は、前記側壁４５（，４５）に直交するようにして配置されており、これら側壁４５と一対の壁４７，４８とによって前記部屋４３の周囲を取り囲むことができる。
前記二つの出入口４７ｂ，４７ｃは、前記壁４７の幅方向中央に横に並んで形成されており、それぞれにドアが取り付けられている。
また、前記壁４８には、建具が取り付けられた窓４８ｂ（，４８ｂ）が、前記二つの出入口４７ｂ，４７ｃに対向するようにして設けられている。
【００７７】
前記ロフト４９は、前記部屋４３の上部に、前記棟４１ａの直下に位置するようにして設けられている。
このロフト４９は、ロフト床４９ａと、このロフト床４９ａの下面４９ｂと、ロフト天井４９ｃと、ロフト壁４９ｄと、を有する。
【００７８】
前記ロフト床４９ａは、前記一方の壁４７の上端部付近から前記部屋４３の中央付近まで水平に設けられている。
このロフト床４９ａの前記部屋４３中央側端面と、前記他方の壁４８との間に、前記梁体９が架設されている。また、前記ロフト床４９ａの下面４９ｂは、前記梁体９の下面と面一となっている。
前記ロフト天井４９ｃは、前記棟４１ａの直下に位置するとともに、前記傾斜天井４６の最上部４６ａと等しい高さに位置しており、前記ロフト床４９ａと同様に水平に設けられている。
前記ロフト壁４９ｄは、前記ロフト床４９ａと前記ロフト天井４９ｃとの間に設けられており、垂直面となっている。
なお、前記ロフト床４９ａの上面の前記部屋４３中央側端部には、ロフト４９から物品等の落下を防止する手摺壁（図示せず）を設置してもよい。この手摺壁の側面も垂直面とされている。
【００７９】
前記梁体９は、上述のように、前記ロフト床４９ａの前記部屋４３中央側端面と、前記他方の壁４８との間に架設されている。なお、前記梁体９は、このように前記ロフト床４９ａと前記他方の壁４８との間に架設されているため、前記一対の壁４７，４８間の長さよりも短く設定されている。
前記梁体９の上面の高さ位置から前記傾斜天井４６の最上部４６ａまでの範囲に広がる前記部屋４３の上部空間は梁上空間９ｃとされている。
なお、前記梁上空間９ｃは、前記梁体９の直上の空間のみを指すものではないため、前記梁体９の上面の高さ位置よりも上方に位置する前記ロフト４９も、前記梁上空間９ｃに含まれるものとする。
【００８０】
そして、前記梁体９の一側面９ａおよび他側面９ｂは、家電機器を取り付けるための第一取付部とされている。また、前記梁上空間９ｃに面する前記ロフト壁４９ｄまたは前記傾斜天井４６よりなる傾斜面は、家電機器を取り付けるための第二取付部とされている。
なお、前記ロフト壁４９ｄは、上述のように前記梁上空間９ｃに面するとともに垂直面であるため、前記第二取付部として機能するが、図示しない前記手摺壁の側面も垂直面とされているため、前記ロフト壁４９ｄと同様に、前記第二取付部として機能する。
【００８１】
前記間仕切り壁は、前記一方の壁４７から前記他方の壁４８にかけて設けられている。また、上端部が前記梁体９の下面に対して着脱可能に取り付けられるとともに、下端部が前記部屋４３の床４４に対して着脱可能に取り付けられている。
さらに、前記間仕切り壁の上端部は、前記梁体９の長さが、上述のように前記一対の壁４７，４８間の長さよりも短いため、前記ロフト床４９ａの下面４９ｂに対しても着脱可能に取り付けられているものとする。
そして、前記部屋２３は、この間仕切り壁によって、一方の空間４３ａと他方の空間４３ｂとに仕切られる。
【００８２】
なお、本実施の形態の第一取付部および第二取付部に取り付けられる家電機器は、第１および第２の実施の形態と同じく、照明器具１１および空調機１２とされている。
ただし、取り付けられる家電機器はこれに限られるものではなく、適宜変更可能であることは言うまでもない。
さらに、本実施の形態においては前記ロフト壁４９ｄを第二取付部とするが、前記手摺壁の側面を第二取付部としてもよいし、前記傾斜天井４６よりなる傾斜面を第二取付部としてもよい。このように第二取付部が傾斜している場合には、前記空調機１２としてエアコン室内機を採用することは難しいため、例えば扇風機等その他の空調機を取り付けるようにしてもよいし、空調機以外の家電機器を取り付けるようにしてもよい。
【００８３】
本実施の形態によれば、第２の実施の形態と同じ効果を得ることができるとともに、前記ロフト４９を利用して家電機器を取り付けることができるので、前記ロフト４９を含む前記部屋４３をより有効に利用することが可能となる。
【符号の説明】
【００８４】
１  屋根
２  屋根面
３  部屋
６  傾斜天井
７  壁
７ｂ  出入口
７ｃ  出入口
８  壁
９  梁体
９ａ  一側面
９ｂ  他側面
９ｃ  梁上空間
１０  間仕切り壁
１１  照明器具
１２  空調機
【図１】
0005684744.tif 000002
【図２】
0005684744.tif 000003
【図３】
0005684744.tif 000004
【図４】
0005684744.tif 000005
【図５】
0005684744.tif 000006
【図６】
0005684744.tif 000007
【図７】
0005684744.tif 000008